(57)【要約】  動画サムネイル表示装置（１００）であって、第一サムネイルに含まれる第一テンプレートの選択を受け付ける受付部（１１１）と、第一テンプレートと同一動画データの第二テンプレートを含む第二サムネイルが表示されるか否かを判定するテンプレート判定部（１１２）と、第二サムネイルが表示されると判定された場合、第一サムネイルの第一表示画像と第二サムネイルの第二表示画像とを取得する画像取得部（１１３）と、第一領域内に第一テンプレートを表示させ第二領域内に第二テンプレートを表示させる動画複数表示部（１１７）と、第一領域に対応付けた領域内に第一表示画像を表示させ第二領域に対応付けた領域内に第二表示画像を表示させる画像表示部（１１８）とを備える。
2012137404.tif 000002
【特許請求の範囲】
【請求項１】
所定の動画データで構成されるテンプレートである動画テンプレートと、前記動画テンプレート中の画像表示領域に表示される静止画像である表示画像とを含む動画像のサムネイルの一覧を画面に表示する動画サムネイル表示装置であって、
前記画面に表示されるサムネイルのうち第一サムネイルの動画像に含まれる動画テンプレートである第一テンプレートの選択を受け付ける受付部と、
前記第一テンプレートと同一の動画データで構成される第二テンプレートを含む動画像のサムネイルである第二サムネイルが、前記画面に表示されるか否かを判定するテンプレート判定部と、
前記第二サムネイルが表示されると判定された場合、前記第一サムネイルの動画像に含まれる前記表示画像である第一表示画像と、前記第二サムネイルの動画像に含まれる前記表示画像である第二表示画像とを取得する画像取得部と、
前記画面中の前記第一サムネイルが表示される第一表示領域内に前記第一テンプレートを表示させるとともに、前記画面中の前記第二サムネイルが表示される第二表示領域内に前記第二テンプレートを表示させる動画複数表示部と、
前記第一表示領域に対応付けられた領域内に前記第一表示画像を表示させるとともに、前記第二表示領域に対応付けられた領域内に前記第二表示画像を表示させる画像表示部と
を備える動画サムネイル表示装置。
【請求項２】
前記画像表示部は、前記第一テンプレート中の画像表示領域が表示されるタイミングで前記第一表示画像を表示させ、前記第二テンプレート中の画像表示領域が表示されるタイミングで前記第二表示画像を表示させる
請求項１に記載の動画サムネイル表示装置。
【請求項３】
前記画像取得部は、前記動画像に含まれる前記画像表示領域に表示される表示画像のうち、前記画像表示領域の重要度又は前記表示画像の重要度が高い順に表示画像を選定することにより、前記第一表示画像と前記第二表示画像とを取得する
請求項１または２に記載の動画サムネイル表示装置。
【請求項４】
前記画像取得部は、前記画像表示領域の表示位置、大きさ及び表示時間のうちの少なくとも１つにより定まる前記画像表示領域の重要度が高い順に、前記画像表示領域に対応付けられた表示画像を選定することにより、前記第一表示画像と前記第二表示画像とを取得する
請求項３に記載の動画サムネイル表示装置。
【請求項５】
前記画像取得部は、使用可能なメモリ容量が小さいほど表示画像の枚数が少なくなるように表示画像を選定することにより、前記第一表示画像と前記第二表示画像とを取得する
請求項１〜４のいずれか１項に記載の動画サムネイル表示装置。
【請求項６】
さらに、
符号化された前記表示画像の画像データを復号する画像デコード部を備え、
前記画像取得部は、前記サムネイルの動画像に含まれる表示画像間の表示時間間隔に、前記画像デコード部が復号可能な表示画像を選定することにより、前記第一表示画像と前記第二表示画像とを取得する
請求項１〜５のいずれか１項に記載の動画サムネイル表示装置。
【請求項７】
前記画像取得部は、前記動画テンプレートと前記動画テンプレート中の前記画像表示領域に表示される前記表示画像を識別する識別子とが対応付けられたテンプレート管理情報と、前記識別子と前記識別子で識別される表示画像の情報とが対応付けられた画像管理情報とを参照して、前記第一表示画像と前記第二表示画像とを取得する
請求項１〜６のいずれか１項に記載の動画サムネイル表示装置。
【請求項８】
さらに、
前記動画テンプレートを構成する動画データ、前記表示画像の画像データ、前記テンプレート管理情報及び前記画像管理情報を、通信ネットワークを介して取得する通信部を備える
請求項７に記載の動画サムネイル表示装置。
【請求項９】
前記動画テンプレートは、アニメーションで構成されるテンプレートであり、
前記受付部は、前記アニメーションを用いた前記第一テンプレートの選択を受け付け、
前記テンプレート判定部は、前記第一テンプレートと同一のアニメーションで構成される前記第二テンプレートを含む動画像の第二サムネイルが表示されるか否かを判定する
請求項１〜８のいずれか１項に記載の動画サムネイル表示装置。
【請求項１０】
所定の動画データで構成されるテンプレートである動画テンプレートと、前記動画テンプレート中の画像表示領域に表示される静止画像である表示画像とを含む動画像のサムネイルの一覧を画面に表示する動画サムネイル表示方法であって、
前記画面に表示されるサムネイルのうち第一サムネイルの動画像に含まれる動画テンプレートである第一テンプレートの選択を受け付ける受付ステップと、
前記第一テンプレートと同一の動画データで構成される第二テンプレートを含む動画像のサムネイルである第二サムネイルが、前記画面に表示されるか否かを判定するテンプレート判定ステップと、
前記第二サムネイルが表示されると判定された場合、前記第一サムネイルの動画像に含まれる前記表示画像である第一表示画像と、前記第二サムネイルの動画像に含まれる前記表示画像である第二表示画像とを取得する画像取得ステップと、
前記画面中の前記第一サムネイルが表示される第一表示領域内に前記第一テンプレートを表示させるとともに、前記画面中の前記第二サムネイルが表示される第二表示領域内に前記第二テンプレートを表示させる動画複数表示ステップと、
前記第一表示領域に対応付けられた領域内に前記第一表示画像を表示させるとともに、前記第二表示領域に対応付けられた領域内に前記第二表示画像を表示させる画像表示ステップと
を含む動画サムネイル表示方法。
【請求項１１】
請求項１０に記載の動画サムネイル表示方法に含まれるステップをコンピュータに実行させるためのプログラム。
【請求項１２】
所定の動画データで構成されるテンプレートである動画テンプレートと、前記動画テンプレート中の画像表示領域に表示される静止画像である表示画像とを含む動画像のサムネイルの一覧を画面に表示する集積回路であって、
前記画面に表示されるサムネイルのうち第一サムネイルの動画像に含まれる動画テンプレートである第一テンプレートの選択を受け付ける受付部と、
前記第一テンプレートと同一の動画データで構成される第二テンプレートを含む動画像のサムネイルである第二サムネイルが、前記画面に表示されるか否かを判定するテンプレート判定部と、
前記第二サムネイルが表示されると判定された場合、前記第一サムネイルの動画像に含まれる前記表示画像である第一表示画像と、前記第二サムネイルの動画像に含まれる前記表示画像である第二表示画像とを取得する画像取得部と、
前記画面中の前記第一サムネイルが表示される第一表示領域内に前記第一テンプレートを表示させるとともに、前記画面中の前記第二サムネイルが表示される第二表示領域内に前記第二テンプレートを表示させる動画複数表示部と、
前記第一表示領域に対応付けられた領域内に前記第一表示画像を表示させるとともに、前記第二表示領域に対応付けられた領域内に前記第二表示画像を表示させる画像表示部と
を備える集積回路。
【発明の詳細な説明】
【技術分野】
【０００１】
本発明は、所定の動画データで構成されるテンプレートと当該テンプレート中に表示される静止画像とを含む動画像をサムネイル表示する動画サムネイル表示装置及び動画サムネイル表示方法に関するものである。
【背景技術】
【０００２】
近年、デジタルカメラやデジタルムービーの普及に伴い、動画や写真などを撮影する機会が増えている。また、撮影した動画や写真を加工し、楽しむことができるような機器も登場してきている。一例として、写真を、好みのアニメーションテンプレート（アニメーション効果に写真をはめ込むための枠をもうけた素材動画を指す）などの所定の動画データで構成されるテンプレートと組み合わせ、作品動画としてハードディスクに保存することができる機器がある。【０００３】
そして、この機器内に保存された作品動画については、自分で楽しんだり、ＤＶＤメディア等に記録し第三者に提供する、といった使い方をすることができる。また、機器内に保存された作品動画が増えてきた場合は、当該作品動画についてのサムネイル（以下、動画サムネイルという）の一覧を表示するサムネイル一覧表示画面などを介して、所望の作品動画を探すことが可能である。【０００４】
しかし、例えば同一のアニメーションテンプレートを使用した作品動画がサムネイル一覧表示画面に複数表示される場合、作品動画の先頭を切り出したサムネイル画像として、アニメーションテンプレートの先頭画像が表示されることが多い。その結果、同一のアニメーションテンプレートを用いた作品動画については、中身で利用されている写真が異なるのみであるため、サムネイル画像だけでは区別がつかない場合が多い。【０００５】
このような場合、当該作品動画を一つずつ動画サムネイルや全画面映像で再生させ、アニメーション効果とその時に使用されている写真とを覚えておく作業を作品動画数分繰り返すことで判別できるが、所望の作品動画にたどり着くまで時間がかかる。【０００６】
そこで、同時に複数の動画サムネイルを再生させ、アニメーション効果とその時に使用されている写真を比較できれば、所望の作品動画を見つけやすい。【０００７】
このため、動画サムネイルを同時に再生させるための手段の一つとして、機器に複数の動画デコーダを搭載し複数の動画のデコードを同時に行えるようにすることで、複数の動画サムネイルを同時に動かす技術が開示されている（例えば、特許文献１、２参照）。【０００８】
また、その他の手段として、１つの動画デコーダを時分割で利用することで、複数の動画サムネイルが同時に動いているように見せる技術が開示されている（例えば、特許文献３、４参照）。【０００９】
さらに、同時に複数の動画サムネイルを再生させるのではなく、一つの動画に対して複数のサムネイル画像を用意しておき、動画の特徴を一目でわかるようにインデックス表示する技術も開示されている（例えば、特許文献５〜８参照）。
【先行技術文献】
【特許文献】
【００１０】
【特許文献１】特開２００６−１４０５６４号公報
【特許文献２】特開２００９−２０２６６号公報
【特許文献３】特開２００８−７２３３６号公報
【特許文献４】特開２０１０−２０６４８６号公報
【特許文献５】特開２００１−７６４６０号公報
【特許文献６】特開２００９−２８４５２７号公報
【特許文献７】特開２００３−３１９２９５号公報
【特許文献８】特開２０１０−２１３１３６号公報
【発明の概要】
【発明が解決しようとする課題】
【００１１】
ところが、上記特許文献１、２に開示されている技術では、複数の動画デコーダを搭載する必要があり、構成が複雑になる。また、組み込み機器への適用を考えた場合、コストアップするため望ましくない。【００１２】
また、上記特許文献３、４に開示されている技術では、動画デコーダを時分割で利用するため、カクツキ等により動画サムネイルの再生品質が劣化する可能性が高い。また、動画デコーダを時分割利用するためには、複雑なソフト制御も必要になってくる。【００１３】
また、上記特許文献５〜８に開示されている技術では、一つの動画に対して複数の静止画によるサムネイル画像を用意しておき、動画の特徴を一目でわかるようにインデックス表示する技術であるが、動きのあるアニメーション効果とその時に使用されている写真とのマッチングも重要であるため、静止画のみのサムネイル画像は好ましくない。【００１４】
以上のように、上記従来の技術では、同一のアニメーションテンプレートなどの動画データで構成されるテンプレートを利用した動画サムネイルが複数表示されている画面から所望の動画像を選択する場合、構成が複雑になり、また動画サムネイルの再生品質が低下する場合があるという課題がある。【００１５】
本発明は、上記課題に鑑みてなされたものであり、簡易な構成で、また動画サムネイルの再生品質の低下を抑制しつつ、同一の動画データで構成されるテンプレートを利用した動画サムネイルが複数表示されている画面から、所望の動画像を選択することができる動画サムネイル表示装置及び動画サムネイル表示方法を提供することを目的とする。
【課題を解決するための手段】
【００１６】
上記従来の課題を解決するために、本発明に係る動画サムネイル表示装置は、所定の動画データで構成されるテンプレートである動画テンプレートと、前記動画テンプレート中の画像表示領域に表示される静止画像である表示画像とを含む動画像のサムネイルの一覧を画面に表示する動画サムネイル表示装置であって、前記画面に表示されるサムネイルのうち第一サムネイルの動画像に含まれる動画テンプレートである第一テンプレートの選択を受け付ける受付部と、前記第一テンプレートと同一の動画データで構成される第二テンプレートを含む動画像のサムネイルである第二サムネイルが、前記画面に表示されるか否かを判定するテンプレート判定部と、前記第二サムネイルが表示されると判定された場合、前記第一サムネイルの動画像に含まれる前記表示画像である第一表示画像と、前記第二サムネイルの動画像に含まれる前記表示画像である第二表示画像とを取得する画像取得部と、前記画面中の前記第一サムネイルが表示される第一表示領域内に前記第一テンプレートを表示させるとともに、前記画面中の前記第二サムネイルが表示される第二表示領域内に前記第二テンプレートを表示させる動画複数表示部と、前記第一表示領域に対応付けられた領域内に前記第一表示画像を表示させるとともに、前記第二表示領域に対応付けられた領域内に前記第二表示画像を表示させる画像表示部とを備える。【００１７】
これによれば、画面中の第一サムネイルが表示される第一表示領域内に第一テンプレートを表示させて第一表示領域に対応付けられた領域内に第一表示画像を表示させるとともに、当該画面中の第二サムネイルが表示される第二表示領域内に第二テンプレートを表示させて第二表示領域に対応付けられた領域内に第二表示画像を表示させる。ここで、第一テンプレートと第二テンプレートとは、同一の動画データで構成されている。このため、１つの動画デコーダで当該同一の動画データをデコードすることができ、簡易な構成で、再生品質の低下を招くことなく、第一テンプレートと第二テンプレートとをデコードすることができる。また、同一画面内のそれぞれの領域内に第一表示画像と第二表示画像とが表示されることで、所望の動画像を容易に選択することができる。これらにより、簡易な構成で、また動画サムネイルの再生品質の低下を抑制しつつ、同一の動画データで構成されるテンプレートを利用した動画サムネイルが複数表示されている画面から、所望の動画像を選択することができる。【００１８】
また、好ましくは、前記画像表示部は、前記第一テンプレート中の画像表示領域が表示されるタイミングで前記第一表示画像を表示させ、前記第二テンプレート中の画像表示領域が表示されるタイミングで前記第二表示画像を表示させる。【００１９】
これによれば、動画テンプレート中の画像表示領域が表示されるタイミングで、それぞれの表示画像が表示される。これにより、動画サムネイル内で、動画テンプレートと表示画像とのマッチングを行うことができるため、同一の動画データで構成されるテンプレートを利用した動画サムネイルが複数表示されている画面から、所望の動画像を容易に選択することができる。【００２０】
また、好ましくは、前記画像取得部は、前記動画像に含まれる前記画像表示領域に表示される表示画像のうち、前記画像表示領域の重要度又は前記表示画像の重要度が高い順に表示画像を選定することにより、前記第一表示画像と前記第二表示画像とを取得する。【００２１】
これによれば、画像表示領域の重要度又は表示画像の重要度が高い順に表示画像を選定する。これにより、表示画像が多数あった場合に、画像表示領域又は表示画像の重要度が高い順から表示画像を選定することで、動画サムネイルの再生品質の低下を抑制しつつ、表示画像をデコードする処理負荷を低減することができる。【００２２】
また、好ましくは、前記画像取得部は、前記画像表示領域の表示位置、大きさ及び表示時間のうちの少なくとも１つにより定まる前記画像表示領域の重要度が高い順に、前記画像表示領域に対応付けられた表示画像を選定することにより、前記第一表示画像と前記第二表示画像とを取得する。【００２３】
これによれば、画像表示領域の表示位置、大きさ及び表示時間のうちの少なくとも１つにより定まる画像表示領域の重要度が高い順に、表示画像を選定する。つまり、画像表示領域の重要度を、画像表示領域の表示位置、大きさ及び表示時間のうちの少なくとも１つから定めることができるため、容易な処理により、表示画像を選定することができる。【００２４】
また、好ましくは、前記画像取得部は、使用可能なメモリ容量が小さいほど表示画像の枚数が少なくなるように表示画像を選定することにより、前記第一表示画像と前記第二表示画像とを取得する。【００２５】
これによれば、使用可能なメモリ容量が小さいほど表示画像の枚数が少なくなるように表示画像を選定する。これにより、使用可能なメモリ容量が小さい場合に、デコードする必要がある表示画像の枚数を少なくすることで、表示画像をデコードする処理負荷を低減することができる。【００２６】
また、好ましくは、さらに、符号化された前記表示画像の画像データを復号する画像デコード部を備え、前記画像取得部は、前記サムネイルの動画像に含まれる表示画像間の表示時間間隔に、前記画像デコード部が復号可能な表示画像を選定することにより、前記第一表示画像と前記第二表示画像とを取得する。【００２７】
これによれば、表示画像間の表示時間間隔にデコード可能な表示画像を選定する。これにより、メモリ容量に制約がある場合でも、当該時間間隔に表示画像のデコードを行うことで、より多くの表示画像を選定することができる。また、当該時間間隔にデコード可能な表示画像のみデコードを行うことで、デコードの遅延による動画サムネイルの再生品質の低下を防ぐことができる。【００２８】
また、好ましくは、前記画像取得部は、前記動画テンプレートと前記動画テンプレート中の前記画像表示領域に表示される前記表示画像を識別する識別子とが対応付けられたテンプレート管理情報と、前記識別子と前記識別子で識別される表示画像の情報とが対応付けられた画像管理情報とを参照して、前記第一表示画像と前記第二表示画像とを取得する。【００２９】
これによれば、動画テンプレートと表示画像の識別子とが対応付けられたテンプレート管理情報と、当該識別子と表示画像の情報とが対応付けられた画像管理情報とを参照して、表示画像を取得する。これにより、当該テンプレート管理情報と画像管理情報とを用いることで、容易な処理により、表示画像を選定することができる。【００３０】
また、好ましくは、さらに、前記動画テンプレートを構成する動画データ、前記表示画像の画像データ、前記テンプレート管理情報及び前記画像管理情報を、通信ネットワークを介して取得する通信部を備える。【００３１】
これによれば、動画データ、画像データ、テンプレート管理情報及び画像管理情報を、通信ネットワークを介して取得する。これにより、当該データや情報を記憶した記憶部を有していなくとも、外部の機器から、当該データや情報を取得することができる。【００３２】
また、本発明は、このような動画サムネイル表示装置として実現することができるだけでなく、このような動画サムネイル表示装置が備える特徴的な構成部の動作をステップとする動画サムネイル表示方法として実現することもできる。また、本発明は、動画サムネイル表示方法に含まれる各ステップをコンピュータに実行させるプログラムとして実現することもできる。そして、そのようなプログラムは、ＣＤ−ＲＯＭ等の記録媒体或いはインターネット等の伝送媒体を介して配信することができるのは言うまでもない。さらに、本発明は、このような動画サムネイル表示装置が備える特徴的な構成部を備える集積回路として実現することもできる。
【発明の効果】
【００３３】
本発明に係る動画サムネイル表示装置によれば、簡易な構成で、また動画サムネイルの再生品質の低下を抑制しつつ、同一の動画データで構成されるテンプレートを利用した動画サムネイルが複数表示されている画面から、所望の動画像を選択することができる。
【図面の簡単な説明】
【００３４】
【図１】図１は、本発明の実施の形態１における動画サムネイル表示装置の機能構成を示すブロック図である。
【図２】図２は、本発明の実施の形態１における作品化済動画データ、テンプレート動画データ及び画像データの一例を示す図である。
【図３】図３は、本発明の実施の形態１におけるテンプレート管理情報の一例を示す図である。
【図４】図４は、本発明の実施の形態１における画像管理情報の一例を示す図である。
【図５】図５は、本発明の実施の形態１における機器固有情報の一例を示す図である。
【図６】図６は、本発明の実施の形態１における動画サムネイル表示装置がモニタにサムネイル一覧表示画面を表示させる動作の一例を示すフローチャートである。
【図７】図７は、本発明の実施の形態１におけるモニタに表示されるサムネイル一覧表示画面の一例を示す図である。
【図８】図８は、本発明の実施の形態１における画像表示部が動画テンプレートに画像を重畳表示させたサムネイル一覧表示画面の一例を示す図である。
【図９】図９は、本発明の実施の形態１における画像取得部が第一表示画像と第二表示画像とを取得する処理の一例を示すフローチャートである。
【図１０】図１０は、本発明の実施の形態１における画像取得部が画像表示領域または表示画像の重要度から表示画像を選定することを説明する図である。
【図１１】図１１は、本発明の実施の形態１における画像取得部が画像表示領域または表示画像の重要度から表示画像を選定することを説明する図である。
【図１２】図１２は、本発明の実施の形態１の変形例における画像取得部が表示画像間の表示時間間隔に復号可能な表示画像を選定することを説明する図である。
【図１３】図１３は、本発明の実施の形態２における動画サムネイル表示装置の機能構成を示すブロック図である。
【図１４】図１４は、動画サムネイル表示装置の最小構成を示すブロック図である。
【発明を実施するための形態】
【００３５】
以下、本発明の実施の形態について、図面を参照しながら説明する。
【００３６】
（実施の形態１）
図１は、本発明の実施の形態１における動画サムネイル表示装置１００の機能構成を示すブロック図である。
【００３７】
動画サムネイル表示装置１００は、所定の動画データで構成されるテンプレートである動画テンプレートと、当該動画テンプレート中の画像表示領域に表示される静止画像である表示画像とを含む動画像のサムネイルの一覧を画面に表示する装置である。なお、動画テンプレートは、どのような動画データで構成されていてもよいが、以下では、アニメーションで構成されるアニメーションテンプレートであることとする。また、サムネイルとは、動画像の一場面を縮小して示す画像である。
【００３８】
具体的には、同図に示すように、動画サムネイル表示装置１００は、制御部１１０と記憶部１２０とを備えている。また、動画サムネイル表示装置１００の外部接続装置として、入力操作部１０１及びモニタ１０２がある。そして、制御部１１０は、入力操作部１０１から入力されるユーザからの入力操作を受け付け、記憶部１２０に記憶されている情報を用いて、モニタ１０２にサムネイルの一覧を表示させる。
【００３９】
つまり、ユーザがリモコンやタッチパネルなどの入力操作部１０１を用いて、動画サムネイル表示装置１００を操作する。また、ユーザが操作した結果は、ＴＶやタッチパネルなどのモニタ１０２に出力される。また、動画サムネイル表示装置１００として、ＴＶ、ＨＤＤレコーダー、ホームサーバーなどの機器を想定している。
【００４０】
ここで、同図に示すように、制御部１１０は、受付部１１１、テンプレート判定部１１２、画像取得部１１３、動画デコード部１１４、画像デコード部１１５、動画表示部１１６、動画複数表示部１１７及び画像表示部１１８を備えている。
【００４１】
受付部１１１は、ユーザが、サムネイルの一覧が表示される画面であるサムネイル一覧表示画面を操作する際に、入力操作部１０１に入力された操作情報（リモコンキー情報やタッチパネル操作情報など）を受け付ける。具体的には、受付部１１１は、モニタ１０２に表示されるサムネイルのうち第一サムネイルの動画像に含まれる動画テンプレートである第一テンプレートの選択を受け付ける。
【００４２】
テンプレート判定部１１２は、当該第一テンプレートと同一の動画データで構成される第二テンプレートを含む動画像のサムネイルである第二サムネイルが、モニタ１０２に表示されるか否かを判定する。具体的には、テンプレート判定部１１２は、受付部１１１で受信した操作情報とサムネイル一覧表示画面に関する内部情報をもとに、現在カーソルが示している動画と同一のアニメーションテンプレートを使用した動画がサムネイル一覧画面中に存在するかどうかを判定する。
【００４３】
画像取得部１１３は、テンプレート判定部１１２が当該第二サムネイルが表示されると判定した場合、第一サムネイルの動画像に含まれる表示画像である第一表示画像と、第二サムネイルの動画像に含まれる表示画像である第二表示画像とを取得する。つまり、画像取得部１１３は、テンプレート判定部１１２により同一のアニメーションテンプレートを使用した動画が存在すると判定された場合は、後述するテンプレート管理情報１２４及び画像管理情報１２５の情報を参照し、動画サムネイル時に表示させる画像情報を読み出す。
【００４４】
具体的には、画像取得部１１３は、同一のアニメーションテンプレート種別及びテンプレート管理情報１２４をもとに、そのアニメーションテンプレートで使用されている写真ＩＤを取得し、画像管理情報１２５をもとに、動画サムネイル再生時に表示させる画像情報（画像のファイル名など）を読み出しておく。
【００４５】
動画デコード部１１４は、符号化された動画データを復号する。つまり、動画デコード部１１４は、動画テンプレートを構成する動画データを復号する。なお、動画データの圧縮形式として、ＭＰＥＧ−２やＨ．２６４などのフォーマットがある。
【００４６】
画像デコード部１１５は、符号化された画像データを復号する。つまり、画像デコード部１１５は、動画テンプレート中に表示される表示画像の画像データを復号する。なお、画像データの圧縮形式としては、ＪＰＥＧやＰＮＧなどのフォーマットがある。
【００４７】
動画表示部１１６は、動画デコード部１１４により復号されたデータを、モニタ１０２に表示させる。つまり、動画表示部１１６は、第一テンプレートと同一の動画データで構成される動画テンプレートがモニタ１０２に表示されない場合に、モニタ１０２中の第一サムネイルが表示される第一表示領域内に第一テンプレートを表示させる。
【００４８】
動画複数表示部１１７は、動画デコード部１１４により復号されたデータを、モニタ１０２中の複数のサムネイル表示位置に表示させる。つまり、動画複数表示部１１７は、第一テンプレートと第二テンプレートとがモニタ１０２に表示される場合に、モニタ１０２中の第一サムネイルが表示される第一表示領域内に第一テンプレートを表示させるとともに、モニタ１０２中の第二サムネイルが表示される第二表示領域内に第二テンプレートを表示させる。この機能により、一つの動画データをもとに、複数の動画サムネイルが同時に再生できるようになる。
【００４９】
画像表示部１１８は、画像デコード部１１５により復号されたデータを、動画複数表示部１１７で表示された動画テンプレートとともに、モニタ１０２に表示させる。つまり、画像表示部１１８は、モニタ１０２中の当該第一表示領域に対応付けられた領域内に第一表示画像を表示させるとともに、当該第二表示領域に対応付けられた領域内に第二表示画像を表示させる。
【００５０】
なお、動画サムネイル表示装置１００は、内部情報として、現在表示されているサムネイル画像の情報やカーソルの位置などの情報を保持している。
【００５１】
また、記憶部１２０は、制御部１１０がモニタ１０２にサムネイルの一覧を表示させるための情報を記憶しているハードディスク等の蓄積媒体である。具体的には、記憶部１２０は、作品化済動画データ１２１、テンプレート動画データ１２２、画像データ１２３、テンプレート管理情報１２４、画像管理情報１２５及び機器固有情報１２６を記憶している。詳細については、後述する。
【００５２】
以上、本発明に係る動画サムネイル表示装置１００の構成により、同一の動画データで構成されたアニメーションテンプレートが複数存在していた場合は、当該複数のアニメーションテンプレートが同時に再生され、そして、アニメーションテンプレート中の画像表示領域に、該当する画像データが表示されることになる。
【００５３】
次に、記憶部１２０が記憶している作品化済動画データ１２１、テンプレート動画データ１２２及び画像データ１２３について、詳述する。
【００５４】
図２は、本発明の実施の形態１における作品化済動画データ１２１、テンプレート動画データ１２２及び画像データ１２３の一例を示す図である。
【００５５】
まず、アニメーションテンプレートについて、詳しく説明する。同図の（ａ）〜（ｃ）は、アニメーションテンプレート画面２００を表している。また、同図の（ｃ）の画像表示領域２０１は、任意の写真をはめ込むことが可能な（空の）写真枠を表している。なお、以下では画像表示領域２０１は写真枠であることとするが、画像表示領域２０１は静止画像を表示する領域であればよく、写真枠には限定されない。また、以下では画像表示領域２０１に表示される画像は写真であることとするが、当該画像は静止画像であればよく、写真には限定されない。
【００５６】
一例として、アニメーションテンプレートのテーマが「誕生日」であった場合を説明する。「誕生日」のアニメーションテンプレートが開始されると、まず同図の（ａ）に示すように、プレゼント箱が小さめに表示され、そして、アニメーション効果により同図の（ｂ）に示すように、プレゼント箱が次第に拡大される。そして、同図の（ｃ）に示すように、プレゼント箱が二分割され、中から写真枠である画像表示領域２０１が表示される、といったアニメーションテンプレートが考えられる。
【００５７】
本例は、アニメーションテンプレートの一部抜粋であるが、様々な効果と写真枠が組み合わされ、通常数分程度の長さのアニメーションテンプレートが一般的である。本アニメーションテンプレートは、Ｆｌａｓｈ（登録商標）などの技術を利用することにより、比較的容易に作成できるようになってきている。そして、同図の（ｃ）に示される画像表示領域２０１にユーザが好みの写真をはめ込んだり、機器が自動で選んだ写真をはめ込むことにより、１つのアニメーションテンプレートを使い、異なる作品動画を作ることが可能となる。
【００５８】
このように、写真をアニメーションテンプレートと組み合わせることで、単に写真のみを見るとき以上の楽しみ方をユーザに提供することができるようになる。
【００５９】
そして、このアニメーションテンプレートを構成する動画データをテンプレート動画データ１２２と呼び、アニメーションテンプレートの画像表示領域２０１に静止画像をはめ込み、動画化したものを作品化済動画データ１２１と呼び、作品化済動画データ１２１を作成するために使用した静止画像データを画像データ１２３と呼ぶ。
【００６０】
また、作品化済動画データ１２１とテンプレート動画データ１２２とを管理するための管理情報をテンプレート管理情報１２４と呼び、画像データ１２３を管理するための情報を画像管理情報１２５と呼ぶ。
【００６１】
次に、記憶部１２０が記憶しているこのテンプレート管理情報１２４及び画像管理情報１２５と、機器固有情報１２６について、詳述する。
【００６２】
図３は、本発明の実施の形態１におけるテンプレート管理情報１２４の一例を示す図である。
【００６３】
テンプレート管理情報１２４は、作品化済動画データ１２１とテンプレート動画データ１２２とを管理するための情報の集まりである。つまり、同図に示すように、テンプレート管理情報１２４は、アニメーションテンプレート種別３０１、写真枠ＩＤ３０２、写真枠の表示時間３０３、写真枠の表示位置３０４、写真枠の重要度３０５及び写真ＩＤ３０６が対応付けられた情報の集まりである。
【００６４】
アニメーションテンプレート種別３０１は、動画テンプレートであるアニメーションテンプレートの種別を表す。例えば、「誕生日」、「運動会」、「キャラクター」などのアニメーションテンプレートがある。アニメーションテンプレート種別３０１に応じて、アニメーション効果や写真枠の構成が異なることになる。
【００６５】
例えば、アニメーションテンプレート種別３０１が「誕生日」の場合、前述した図２のようなアニメーション効果及び写真枠の構成が考えられる。通常、機器にはあらかじめ数十種類のアニメーションテンプレートが用意されており、またネットワークを介して新たなアニメーションテンプレートをダウンロードし利用することも可能である。
【００６６】
写真枠ＩＤ３０２は、アニメーションテンプレート中の写真枠を一意に判別するための識別番号である。つまり、写真枠ＩＤ３０２は、図２の（ｃ）に示された画像表示領域２０１を識別するための識別子である。
【００６７】
写真枠の表示時間３０３は、アニメーションテンプレート中の写真枠が表示される時間を表す。
【００６８】
写真枠の表示位置３０４は、アニメーションテンプレート中の写真枠が表示される位置や写真枠の大きさを表す。また、写真枠が傾斜している場合には、傾斜情報も合わせて写真枠の表示位置３０４に記録しておくことも可能である。
【００６９】
写真枠の重要度３０５は、アニメーションテンプレート中の写真枠の重要度を表す。重要度として、重要度が高い順に、最高（１）、高い（２）、普通（３）、低い（４）、最低（５）などの値を付与することができる。例えば、図２の（ｃ）の画像表示領域２０１に示すようなアニメーション効果的に重要な写真枠には重要度として最高（１）が付与される。逆に、アニメーション効果的には重要でなかったり、写真枠が小さいような場合には重要度を低い（４）が付与される。
【００７０】
また、写真枠の重要度３０５は、アニメーションテンプレート種別毎にあらかじめ定められているという想定を置いているが、ユーザが自分で重要度を設定または変更することも考えられる。また、後述するが、全ての写真を重畳表示できない場合に写真枠の重要度３０５を利用し、重要な写真のみをデコードし重畳表示させることも可能である。
【００７１】
写真ＩＤ３０６は、アニメーションテンプレート中の写真枠にはめ込まれている写真を識別する識別子を表す。なお、本写真ＩＤ３０６は、作品化済動画データ１２１が作成される時に決定される。
【００７２】
図４は、本発明の実施の形態１における画像管理情報１２５の一例を示す図である。
【００７３】
画像管理情報１２５は、画像データ１２３を管理するための情報の集まりである。つまり、同図に示すように、画像管理情報１２５は、写真ＩＤ４０１、ファイル名４０２、解像度４０３及び写真の重要度４０４が対応付けられた情報の集まりである。
【００７４】
写真ＩＤ４０１は、写真を一意に判別するための識別情報である。本写真ＩＤ４０１は、図３に示されたテンプレート管理情報１２４の写真ＩＤ３０６と関連付けられている。
【００７５】
ファイル名４０２は、写真ＩＤ４０１で示される写真の画像ファイルのファイル名を表す。また、解像度４０３は、写真の解像度情報を表す。
【００７６】
写真の重要度４０４は、写真の重要度を表す。重要度は、図３に示した写真枠の重要度３０５での説明と同様であるため、詳細は省略する。なお、通常、アニメーションテンプレートの重要度が高い写真枠に、写真の重要度が高い写真がはめ込まれることとなるため、写真の重要度４０４を写真枠の重要度３０５と関連させて設定してもよいし、関連させなくともよい。
【００７７】
また、写真の重要度４０４に関しては、画像解析などの技術を用いて、動画サムネイル表示装置１００が自動的に付与することにしてもよい。また、ユーザが写真の重要度４０４を設定または変更することにしてもよい。
【００７８】
図５は、本発明の実施の形態１における機器固有情報１２６の一例を示す図である。
【００７９】
機器固有情報１２６は、動画サムネイル表示装置１００の固有の情報の集まりである。つまり、同図に示すように、機器固有情報１２６は、画像デコード性能５０１と重畳画像用メモリ容量５０２とが対応付けられた情報の集まりである。
【００８０】
画像デコード性能５０１は、デコードする画像データの解像度と、当該解像度に対応したデコード処理時間を示している。なお、ＨＷデコード処理時間は、ハードウェアを用いてデコードを行った場合の処理時間を示し、ＳＷデコード処理時間は、ソフトウェアを用いてデコードを行った場合の処理時間を示している。
【００８１】
重畳画像用メモリ容量５０２は、画像データのデコードに使用可能なメモリ容量を示している。つまり、重畳画像用メモリ容量５０２の値が小さいほど、デコード可能な画像の枚数が少なくなる。
【００８２】
次に、動画サムネイル表示装置１００がモニタ１０２にサムネイル一覧表示画面を表示させる処理について、説明する。
【００８３】
図６は、本発明の実施の形態１における動画サムネイル表示装置１００がモニタ１０２にサムネイル一覧表示画面を表示させる動作の一例を示すフローチャートである。
【００８４】
まず前提として、動画サムネイル表示装置１００の記憶部１２０には、作品化済動画データ１２１、テンプレート動画データ１２２、画像データ１２３、テンプレート管理情報１２４、及び画像管理情報１２５が格納されており、かつ動画サムネイル表示装置１００が起動している状態であるとする。また、作品化済動画データ１２１として、同一のアニメーションテンプレートを使用した動画が複数蓄積されてあるものとする。
【００８５】
同図に示すように、まず、ユーザが作品動画を見たい場合、ユーザの入力操作部１０１への入力操作等により、サムネイル一覧表示画面がモニタ１０２に表示される（Ｓ１０２）。サムネイル一覧表示画面では、複数のサムネイル画像が表示されることとなる。つまり、ユーザは、モニタ１０２に表示されるサムネイル一覧表示画面を操作することにより、動画サムネイル表示装置１００を使用することができる。
【００８６】
図７は、本発明の実施の形態１におけるモニタ１０２に表示されるサムネイル一覧表示画面６００の一例を示す図である。
【００８７】
同図に示すように、サムネイル一覧表示画面６００では、作品化済動画データ１２１がサムネイル画像６１０として動画数分一覧表示される。ユーザが入力操作部１０１を通じてサムネイル画像６１０にカーソルを合わせることで、動画を縮小再生させることができる。
【００８８】
カーソルがあたっていない場合は、作品化済動画データ１２１の先頭の画像や代表的なシーン画像をサムネイル画像６１０として表示しておく。また、サムネイル画像６１０の下などには、作品化済動画データ１２１が作成された日時情報などの補足情報６２０が表示される。
【００８９】
図６に戻り、次に、受付部１１１は、モニタ１０２に表示されたサムネイルのうち第一サムネイルの動画像に含まれる動画テンプレートである第一テンプレートの選択を受け付ける（Ｓ１０４）。例えば、図７に示すように、ユーザがカーソル等で左上のサムネイル画像６０１を選択することで、受付部１１１は、第一テンプレートの選択を受け付ける。
【００９０】
そして、テンプレート判定部１１２は、当該第一テンプレートと同一の動画データで構成される第二テンプレートを含む動画像のサムネイルである第二サムネイルが、モニタ１０２に表示されるか否かを判定する（Ｓ１０６）。つまり、テンプレート判定部１１２は、サムネイル一覧表示画面６００中に同一のアニメーションテンプレートの作品化済動画データ１２１が存在するかどうかを判定する。
【００９１】
テンプレート判定部１１２が、当該第二サムネイルがモニタ１０２に表示されると判定した場合（Ｓ１０６でＹＥＳ）、画像取得部１１３が、第一サムネイルの動画像に含まれる表示画像である第一表示画像と、第二サムネイルの動画像に含まれる表示画像である第二表示画像とを取得する（Ｓ１０８）。
【００９２】
具体的には、画像取得部１１３は、テンプレート管理情報１２４の写真ＩＤ３０６及び画像管理情報１２５の写真ＩＤ４０１及びファイル名４０２などを用いて、アニメーションテンプレートに重畳させる画像を決定し、当該重畳させる画像をデコードする。なお、重畳させる画像は、事前にデコードして記憶部１２０に格納しておいても良い。この画像取得部１１３が第一表示画像と第二表示画像とを取得する処理の詳細については、後述する。
【００９３】
そして、動画複数表示部１１７は、モニタ１０２中の第一サムネイルが表示される第一表示領域内に第一テンプレートを表示させるとともに、モニタ１０２中の第二サムネイルが表示される第二表示領域内に第二テンプレートを表示させる（Ｓ１１０）。
【００９４】
具体的には、動画デコード部１１４がテンプレート動画データ１２２をデコードし、動画複数表示部１１７がデコード結果を該当するサムネイル位置に複数表示させる。
【００９５】
そして、画像表示部１１８は、モニタ１０２中の当該第一表示領域に対応付けられた領域内に第一表示画像を表示させるとともに、当該第二表示領域に対応付けられた領域内に第二表示画像を表示させる（Ｓ１１２）。具体的には、画像表示部１１８は、第一テンプレート中の画像表示領域が表示されるタイミングで第一表示画像を表示させ、第二テンプレート中の画像表示領域が表示されるタイミングで第二表示画像を表示させる。
【００９６】
つまり、画像表示部１１８は、テンプレート管理情報１２４の写真枠ＩＤ３０２、写真枠の表示時間３０３及び写真枠の表示位置３０４の情報を用い、テンプレート動画データ１２２の（空の）写真枠が表示されるタイミングで、選定された画像を重畳表示させる。
【００９７】
図８は、本発明の実施の形態１における画像表示部１１８が動画テンプレートに画像を重畳表示させたサムネイル一覧表示画面６００の一例を示す図である。
【００９８】
同図に示すように、サムネイル画像６０１は、カーソルが当たっているサムネイルを表す。通常、カーソルを合わせると自動で動画サムネイルが再生される。
【００９９】
また、サムネイル画像６０２、６０３は、カーソルが当たっているサムネイル画像６０１と同一のアニメーションテンプレートを使用した動画である。また、サムネイル画像６０４は、サムネイル画像６０１とは異なるアニメーションテンプレートを使用した動画を表す。
【０１００】
同図の場合においては、サムネイル一覧表示画面６００上に、カーソルが当たっている動画と同一のアニメーションテンプレートを使用した動画が存在するため、画像取得部１１３で取得選定された表示画像が、動画中のアニメーションテンプレートの（空の）写真枠が表示されるタイミングに合わせて、重畳表示される。
【０１０１】
具体的には、サムネイル画像６０１では、サムネイル画像６０１が表示される表示領域内にテンプレート動画データ１２２ａが表示され、当該表示領域に対応付けられた領域内に画像データ１２３ａが表示される。また、同様に、サムネイル画像６０２では、サムネイル画像６０２が表示される表示領域内及び当該表示領域に対応付けられた領域内に、テンプレート動画データ１２２ａと画像データ１２３ｂとが表示され、サムネイル画像６０３では、サムネイル画像６０３が表示される表示領域内及び当該表示領域に対応付けられた領域内に、テンプレート動画データ１２２ａと画像データ１２３ｃとが表示される。
【０１０２】
なお、画像データ１２３ａ、１２３ｂ、１２３ｃは、それぞれサムネイル画像６０１、６０２、６０３におけるテンプレート動画データ１２２ａ中の画像表示領域が表示されるタイミングで表示される。
【０１０３】
また、画像データ１２３ａ、１２３ｂ、１２３ｃは、サムネイル画像６０１、６０２、６０３が表示される表示領域に対応付けられた領域内として、吹き出し中に表示されているが、吹き出し以外の表示方法であってもよい。例えば、画像データ１２３ａ、１２３ｂ、１２３ｃは、隣接する動画サムネイルが十分な間隔で表示されているのであれば、当該隣接する動画サムネイルの間の所定位置（例えば、対象となる動画サムネイルの右横や左横など）に表示されることにしてもよい。
【０１０４】
これにより、ユーザは、同一のアニメーションテンプレートを使用する複数の作品化済動画データ１２１のアニメーション効果とその時に使用されている画像を見比べながら、同時に確認することができる。
【０１０５】
そして、図６に戻り、動画サムネイルの再生が終端に達した場合は、動画サムネイル表示装置１００は、動画サムネイルの再生を停止させたり、再度動画データの頭から繰り返し再生する（Ｓ１１６）。また、動画サムネイルの再生中は、ユーザの入力操作により自由に再生を停止させることが可能である。
【０１０６】
また、テンプレート判定部１１２が、サムネイル一覧表示画面にカーソルが当たっている動画と同一のアニメーションテンプレートの作品化済動画データ１２１が存在しないと判定した場合（Ｓ１０６でＮＯ）、動画サムネイル表示装置１００は、通常通り作品化済動画データ１２１を動画サムネイルとして再生させる（Ｓ１１４）。
【０１０７】
なお、この作品化済動画データ１２１の再生は、第一テンプレートのテンプレート動画データ１２２を動画デコード部１１４がデコードし、動画表示部１１６が表示するなどによって、行われる。
【０１０８】
そして、動画サムネイルの再生が終端に達した場合は、動画サムネイル表示装置１００は、動画サムネイルの再生を停止させたり、再度動画データの頭から繰り返し再生する（Ｓ１１６）。また、ユーザがカーソルを別のサムネイル画像に移動させることで、再生中の動画サムネイルは停止し、サムネイル画像の表示に戻る。
【０１０９】
以上が、本発明の実施の形態１に係る動画サムネイル表示装置１００による動画サムネイル表示を行う際の動作フローチャートとなる。
【０１１０】
次に、画像取得部１１３が第一表示画像と第二表示画像とを取得する処理（図６のＳ１０８）の詳細について、説明する。
【０１１１】
図９は、本発明の実施の形態１における画像取得部１１３が第一表示画像と第二表示画像とを取得する処理の一例を示すフローチャートである。
【０１１２】
同図に示すように、まず、画像取得部１１３は、テンプレート管理情報１２４、画像管理情報１２５及び機器固有情報１２６を読み出す（Ｓ２０２）。
【０１１３】
そして、画像取得部１１３は、使用可能なメモリ容量から、第一表示画像と第二表示画像の表示枚数を決定する（Ｓ２０４）。具体的には、画像取得部１１３は、機器固有情報１２６の重畳画像用メモリ容量５０２を参照し、使用可能なメモリ容量が小さいほど表示画像の枚数が少なくなるように、第一表示画像と第二表示画像の表示枚数を決定する。
【０１１４】
つまり、動画サムネイル表示装置１００の組み込み機器での実施を考えた場合、作品化済動画データ１２１に含まれる全ての画像を重畳用画像として表示できない場合がある。アニメーションテンプレートで使用する画像が多い場合、ユーザがサムネイル画像にカーソルを合わせてから一つずつ画像をデコードすると、時間がかかり、待ち時間が発生してしまう。
【０１１５】
ここで、メモリを多く搭載している機器の場合は、サムネイル一覧表示画面が起動する前にデコード後のデータをメモリ領域に格納しておくことで、スピーディな表示が可能となる。しかし、現実的には、限られたメモリ容量で実施しなければならない場合が多い。
【０１１６】
そのため、あらかじめ、図５に示したような機器固有情報１２６の重畳画像用メモリ容量５０２を記憶しておき、限られたメモリ容量で何枚の写真を準備できるかを決定し、その枚数の写真を重畳することとする。
【０１１７】
そして、画像取得部１１３は、画像表示領域または表示画像の重要度から、第一表示画像と第二表示画像を選定する（Ｓ２０６）。つまり、表示画像の枚数が決まると、画像取得部１１３は、重要度の高い写真枠に紐付けられている写真、または重要度の高い写真から、表示画像を選定する。
【０１１８】
図１０及び図１１は、本発明の実施の形態１における画像取得部１１３が画像表示領域または表示画像の重要度から表示画像を選定することを説明する図である。
【０１１９】
図１０の（ａ）〜（ｄ）に示すように、サムネイル画像６０１において、テンプレート動画データ１２２ａが再生され、当該テンプレート動画データ１２２ａの再生中の各シーンで、表示画像である画像データ１２３ａ１〜１２３ａ８がそれぞれの画像表示領域に表示される。ここで、同図の画像データ１２３ａ１〜１２３ａ８中に表示されている数字は、画像表示領域の重要度又は表示画像の重要度を示している。
【０１２０】
そして、画像取得部１１３は、動画像に含まれる画像表示領域に表示される表示画像のうち、画像表示領域の重要度又は表示画像の重要度が高い順に表示画像を選定することにより、第一表示画像と第二表示画像とを取得する。
【０１２１】
ここで、画像取得部１１３は、画像表示領域の重要度を用いて表示画像を選定する場合は、画像表示領域の表示位置、大きさ及び表示時間のうちの少なくとも１つにより定まる画像表示領域の重要度が高い順に、画像表示領域に対応付けられた表示画像を選定することにより、第一表示画像と第二表示画像とを取得する。例えば、同図の（ｄ）における画像データ１２３ａ８が表示される画像表示領域が、最も重要度が高い画像表示領域である。
【０１２２】
そして、例えば、図１１の（ａ）に示すように、画像取得部１１３は、第一表示画像として、当該重要度が１〜４の画像である画像データ１２３ａ１、１２３ａ４、１２３ａ６及び１２３ａ８を表示画像として選定し、取得する。また、例えば、図１１の（ｂ）に示すように、画像取得部１１３は、第二表示画像として、当該重要度が１〜４の画像である画像データ１２３ｂ１〜１２３ｂ４を表示画像として選定し、取得する。
【０１２３】
これにより、図１０の（ａ）においては画像データ１２３ａ１が表示され、同図の（ｂ）においては画像データ１２３ａ４が表示され、同図の（ｃ）においては画像データ１２３ａ６が表示され、同図の（ｄ）においては画像データ１２３ａ８が表示される。
【０１２４】
図９に戻り、画像デコード部１１５は、画像取得部１１３が取得した第一表示画像と第二表示画像とをデコードする（Ｓ２０８）。
【０１２５】
以上により、画像取得部１１３が第一表示画像と第二表示画像とを取得する処理（図６のＳ１０８）は、終了する。
【０１２６】
以上のように、本発明の実施の形態１に係る動画サムネイル表示装置１００によれば、画面中の第一サムネイルが表示される第一表示領域内に第一テンプレートを表示させて第一表示領域に対応付けられた領域内に第一表示画像を表示させるとともに、当該画面中の第二サムネイルが表示される第二表示領域内に第二テンプレートを表示させて第二表示領域に対応付けられた領域内に第二表示画像を表示させる。ここで、第一テンプレートと第二テンプレートとは、同一の動画データで構成されている。このため、１つの動画デコーダで当該同一の動画データをデコードすることができ、簡易な構成で、再生品質の低下を招くことなく、第一テンプレートと第二テンプレートとをデコードすることができる。また、同一画面内のそれぞれの領域内に第一表示画像と第二表示画像とが表示されることで、所望の動画像を容易に選択することができる。これらにより、簡易な構成で、また動画サムネイルの再生品質の低下を抑制しつつ、同一の動画データで構成されるテンプレートを利用した動画サムネイルが複数表示されている画面から、所望の動画像を選択することができる。
【０１２７】
また、動画テンプレート中の画像表示領域が表示されるタイミングで、それぞれの表示画像が表示される。これにより、動画サムネイル内で、動画テンプレートと表示画像とのマッチングを行うことができるため、同一の動画データで構成されるテンプレートを利用した動画サムネイルが複数表示されている画面から、所望の動画像を容易に選択することができる。
【０１２８】
また、画像表示領域の重要度又は表示画像の重要度が高い順に表示画像を選定する。これにより、表示画像が多数あった場合に、画像表示領域又は表示画像の重要度が高い順から表示画像を選定することで、動画サムネイルの再生品質の低下を抑制しつつ、表示画像をデコードする処理負荷を低減することができる。
【０１２９】
また、画像表示領域の表示位置、大きさ及び表示時間のうちの少なくとも１つにより定まる画像表示領域の重要度が高い順に、表示画像を選定する。つまり、画像表示領域の重要度を、画像表示領域の表示位置、大きさ及び表示時間のうちの少なくとも１つから定めることができるため、容易な処理により、表示画像を選定することができる。
【０１３０】
また、使用可能なメモリ容量が小さいほど表示画像の枚数が少なくなるように表示画像を選定する。これにより、使用可能なメモリ容量が小さい場合に、デコードする必要がある表示画像の枚数を少なくすることで、表示画像をデコードする処理負荷を低減することができる。
【０１３１】
また、動画テンプレートと表示画像の識別子とが対応付けられたテンプレート管理情報１２４と、当該識別子と表示画像の情報とが対応付けられた画像管理情報１２５とを参照して、表示画像を取得する。これにより、テンプレート管理情報１２４と画像管理情報１２５とを用いることで、容易な処理により、表示画像を選定することができる。
【０１３２】
（実施の形態１の変形例）
次に、上記実施の形態１の変形例について、説明する。上記実施の形態１では、画像取得部１１３は、使用可能なメモリ容量から表示画像の表示枚数を決定し、画像表示領域又は表示画像の重要度が高い順に表示画像を選定することにより、第一表示画像と第二表示画像とを選定することとした。しかし、本変形例では、画像取得部１１３は、表示画像間の表示時間間隔に復号可能な表示画像を選定することにより、第一表示画像と第二表示画像とを取得する。
【０１３３】
図１２は、本発明の実施の形態１の変形例における画像取得部１１３が表示画像間の表示時間間隔に復号可能な表示画像を選定することを説明する図である。
【０１３４】
同図は、動画サムネイルが実行される際の表示画像の表示順序を、時間経過を横軸にして表現したものである。つまり、同図の（ａ）は、第一テンプレートのテンプレート動画データにおける画像データ１２３ａの表示順序を示し、同図の（ｂ）及び（ｃ）は、第二テンプレートのテンプレート動画データにおける画像データ１２３ｂ及び画像データ１２３ｃの表示順序を示している。また、時間間隔Ｔ１〜Ｔ４は、アニメーション中の画像データと画像データとの間の時間間隔を表している。
【０１３５】
ここで、上記実施の形態１のように、動画サムネイル再生が開始する前に、あらかじめ１２枚の画像データ１２３ａ、１２３ｂ及び１２３ｃをデコードして記憶部１２０に格納しておく方法が最も良い実現方法である。しかし、上記実施の形態１で説明したように、機器に搭載しているメモリ容量の関係で、６枚の画像データしか格納できない場合がある。
【０１３６】
この場合、例えば写真枠の重要度が高い、画像データ１２３ａ１、画像データ１２３ｂ１、画像データ１２３ｃ１及び画像データ１２３ａ３、画像データ１２３ｂ３、画像データ１２３ｃ３のみを重畳用写真として選定し、メモリ領域に格納しておくことができる。こうすることにより、待ち時間を発生させることなく、実施することが可能となる。
【０１３７】
しかし、画像データ１２３ａ２、画像データ１２３ｂ２、画像データ１２３ｃ２及び画像データ１２３ａ４、画像データ１２３ｂ４、画像データ１２３ｃ４についても、重要度が高いなどの理由から、重畳用写真として選定して表示させたい場合がある。この場合には、画像データ間の表示時間間隔に、画像デコード部１１５が画像データを復号することで、画像表示部１１８が当該画像データを表示させる。
【０１３８】
具体的には、画像取得部１１３は、図５に示した機器固有情報１２６の画像デコード性能５０１（解像度とデコード処理時間）及び図１２に示したアニメーション中の画像データと画像データとの間の時間間隔Ｔ１〜Ｔ４をもとに、その間に画像をデコードする時間があるか否かを判定する。そして、当該デコードする時間がある場合は、画像デコード部１１５がデコードして、画像表示部１１８が重畳表示させることが可能となる。
【０１３９】
例えば、画像取得部１１３が、時間間隔Ｔ３の間に画像データ１２３ａ４、画像データ１２３ｂ４、画像データ１２３ｃ４のデコードが可能であると判定した場合、画像デコード部１１５が画像データ１２３ａ４、画像データ１２３ｂ４、画像データ１２３ｃ４をデコードする。こうすることにより、メモリなどの資源の制約がある環境においても、本発明を実施することが可能になる。
【０１４０】
以上のように、本発明の実施の形態１の変形例に係る動画サムネイル表示装置１００によれば、画像取得部１１３は、サムネイルの動画像に含まれる表示画像間の表示時間間隔に、画像デコード部が復号可能な表示画像を選定することにより、第一表示画像と第二表示画像とを取得する。
【０１４１】
これにより、メモリ容量に制約がある場合でも、当該時間間隔に表示画像のデコードを行うことで、より多くの表示画像を選定することができる。また、当該時間間隔にデコード可能な表示画像のみデコードを行うことで、デコードの遅延による動画サムネイルの再生品質の低下を防ぐことができる。
【０１４２】
（実施の形態２）
次に、実施の形態２について、説明する。上記実施の形態１では、動画サムネイル表示装置１００は記憶部１２０を備えており、制御部１１０は、記憶部１２０に記憶されている情報を用いて、モニタ１０２にサムネイルの一覧を表示させることとした。しかし、本実施の形態２では、動画サムネイル表示装置１００は記憶部１２０を備えておらず、制御部１１０は、外部の装置から取得される当該情報を用いて、モニタ１０２にサムネイルの一覧を表示させる。
【０１４３】
図１３は、本発明の実施の形態２における動画サムネイル表示装置１００ａの機能構成を示すブロック図である。
【０１４４】
同図に示すように、動画サムネイル表示装置１００ａは、図１に示した実施の形態１における動画サムネイル表示装置１００の記憶部１２０の代わりに、通信部１１９を備えている。なお、動画サムネイル表示装置１００ａが備えるその他の構成要素については、実施の形態１における動画サムネイル表示装置１００が備える構成要素と同様であるため、詳細な説明は省略する。
【０１４５】
通信部１１９は、通信ネットワーク１３１を介して外部装置１３０に接続されており、外部装置１３０から情報を取得することができる。ここで、外部装置１３０は、図１に示した実施の形態１における動画サムネイル表示装置１００の記憶部１２０を備えている。なお、外部装置１３０が備える記憶部１２０は、実施の形態１における記憶部１２０と同様であるため、詳細な説明は省略する。
【０１４６】
そして、通信部１１９は、動画テンプレートを構成するテンプレート動画データ１２２、表示画像の画像データ１２３、テンプレート管理情報１２４及び画像管理情報１２５を、通信ネットワーク１３１を介して、外部装置１３０の記憶部１２０から取得する。
【０１４７】
これにより、制御部１１０は、通信部１１９が外部装置１３０から取得した情報を用いて、モニタ１０２にサムネイルの一覧を表示させる。
【０１４８】
以上のように、本発明の実施の形態２に係る動画サムネイル表示装置１００ａによれば、テンプレート動画データ１２２、表示画像の画像データ１２３、テンプレート管理情報１２４及び画像管理情報１２５を、通信ネットワーク１３１を介して取得する。このように、当該データや情報を記憶した記憶部１２０を有していなくとも、外部装置１３０から、当該データや情報を取得することができる。
【０１４９】
これらのように、上記実施の形態及びその変形例に係る動画サムネイル表示装置によれば、以上のような構成により、アニメーション効果とその時に使用されている写真を見比べながら、複数ある動画を同時に判別することが可能となる。
【０１５０】
以上、本発明の実施の形態及びその変形例に係る動画サムネイル表示装置について説明したが、本発明は、この実施の形態及びその変形例に限定されるものではない。
【０１５１】
今回開示された実施の形態及びその変形例は全ての点で例示であって制限的なものではないと考えられるべきである。本発明の範囲は上記した説明ではなくて請求の範囲によって示され、請求の範囲と均等の意味及び範囲内での全ての変更が含まれることが意図される。
【０１５２】
例えば、上記実施の形態及びその変形例においては、画像を動画データに重畳するように表示しているが、画像と動画データを隣接させて表示させるなど、画像と動画データとの対応関係がわかるような態様であればどのようなものであってもよい。
【０１５３】
また、上記実施の形態及びその変形例において、動画サムネイル表示装置は、図１または図１３に示す各構成要素を備えていたが、必ずしも、図１または図１３に示す各構成要素のすべてを備える必要はない。
【０１５４】
図１４は、動画サムネイル表示装置の最小構成を示すブロック図である。同図に示すように、動画サムネイル表示装置１００ｂは、最小構成として、受付部１１１、テンプレート判定部１１２、画像取得部１１３、動画複数表示部１１７及び画像表示部１１８を備えている。
【０１５５】
この構成によっても、受付部１１１が第一テンプレートの選択を受け付け、テンプレート判定部１１２が第二サムネイルがモニタ１０２に表示されるか否かを判定し、画像取得部１１３が第一表示画像と第二表示画像とを取得し、動画複数表示部１１７が第一テンプレートと第二テンプレートとを表示させ、画像表示部１１８が第一表示画像と第二表示画像とを表示させることで、上記実施の形態及びその変形例と同様の効果を奏する。
【０１５６】
また、上記実施の形態及びその変形例における動画サムネイル表示装置が備える構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。
【０１５７】
システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）などを含んで構成されるコンピュータシステムである。ＲＯＭには、コンピュータプログラムが記憶されている。マイクロプロセッサが、コンピュータプログラムに従って動作することにより、システムＬＳＩは、その機能を達成する。
【０１５８】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、あるいはＬＳＩ内部の回路セルの接続や設定を再構成可能なリコンフィギュラブル・プロセッサを利用してもよい。
【０１５９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１６０】
また、本発明は、このような特徴的な処理部を備える動画サムネイル表示装置として実現することができるだけでなく、動画サムネイル表示装置に含まれる特徴的な処理部をステップとする動画サムネイル表示方法として実現することもできる。また、そのような方法に含まれる特徴的な各ステップをコンピュータに実行させるコンピュータプログラムとして実現することもできる。そして、そのようなコンピュータプログラムを、ＣＤ−ＲＯＭ等のコンピュータ読取可能な非一時的な記録媒体あるいはインターネット等の通信ネットワークを介して流通させることができるのは、言うまでもない。
【産業上の利用可能性】
【０１６１】
本発明にかかる動画サムネイル表示装置は、動画デコーダ１つを搭載することで同一のアニメーションテンプレートを使用する動画データを同時に動画サムネイルとして再生することができるため、組み込み機器であるＴＶやＨＤＤレコーダー及びホームサーバーとして有用である。
【符号の説明】
【０１６２】
１００、１００ａ、１００ｂ  動画サムネイル表示装置
１０１  入力操作部
１０２  モニタ
１１０  制御部
１１１  受付部
１１２  テンプレート判定部
１１３  画像取得部
１１４  動画デコード部
１１５  画像デコード部
１１６  動画表示部
１１７  動画複数表示部
１１８  画像表示部
１１９  通信部
１２０  記憶部
１２１  作品化済動画データ
１２２、１２２ａ  テンプレート動画データ
１２３、１２３ａ、１２３ｂ、１２３ｃ  画像データ
１２４  テンプレート管理情報
１２５  画像管理情報
１２６  機器固有情報
１３０  外部装置
１３１  通信ネットワーク
２００  アニメーションテンプレート画面
２０１  画像表示領域
３０１  アニメーションテンプレート種別
３０２  写真枠ＩＤ
３０３  写真枠の表示時間
３０４  写真枠の表示位置
３０５  写真枠の重要度
３０６  写真ＩＤ
４０１  写真ＩＤ
４０２  ファイル名
４０３  解像度
４０４  写真の重要度
５０１  画像デコード性能
５０２  重畳画像用メモリ容量
６００  サムネイル一覧表示画面
６０１、６０２、６０３、６０４、６１０  サムネイル画像
６２０  補足情報
【図１】
2012137404.tif 000003
【図２】
2012137404.tif 000004
【図３】
2012137404.tif 000005
【図４】
2012137404.tif 000006
【図５】
2012137404.tif 000007
【図６】
2012137404.tif 000008
【図７】
2012137404.tif 000009
【図８】
2012137404.tif 000010
【図９】
2012137404.tif 000011
【図１０】
2012137404.tif 000012
【図１１】
2012137404.tif 000013
【図１２】
2012137404.tif 000014
【図１３】
2012137404.tif 000015
【図１４】
2012137404.tif 000016
【国際調査報告】
2012137404.tif 000017
2012137404.tif 000018